(57)【特許請求の範囲】
【請求項１】
記録用出力と再生用出力とより成るパルス信号によりディスクに信号を記録するとともにディスクに設けられている試し書き領域へテスト信号を記録することによって記録動作に最適なレーザー出力を設定するように構成された光ディスク記録再生装置のレーザー出力制御回路であり、レーザー出力の設定動作にて設定される再生用出力のデータが記憶されるとともにそのデータに基いて基準信号を出力する再生出力設定回路と、レーザー出力の設定動作にて設定される記録用出力のデータが記憶されるとともにそのデータに基いて基準信号を出力する記録出力設定回路と、レーザーダイオードより出力されるレーザー光をモニターして得られるパルス信号の再生用出力期間のレベルをサンプリングする再生用サンプリング回路と、レーザーダイオードより出力されるレーザー光をモニターして得られるパルス信号の記録用出力期間のレベルをサンプリングする記録用サンプリング回路と、前記再生出力設定回路より出力される基準信号と前記再生用サンプリング回路にてサンプリングされた再生用出力とを比較することによって再生用出力のレベルを制御するとともにレーザーダイオードに駆動電流を供給するべく設けられているレーザー駆動回路に制御信号を供給する再生用出力レベル制御回路と、前記記録出力設定回路より出力される基準信号と前記記録用サンプリング回路にてサンプリングされた記録用出力とを比較することによって記録用出力のレベルを制御するとともに前記レーザー駆動回路に制御信号を供給する記録用出力レベル制御回路とより成り、再生状態から記録動作状態への切換動作が行われたとき、前記記録出力設定回路に記憶されているデータに基いて設定される基準信号を記録用出力としてレーザー駆動回路に供給した後前記記録用サンプリング回路より得られるサンプリング信号と前記記録出力設定回路より出力される基準信号とに基づいて制御される記録用レベルの信号を前記記録用出力レベル制御回路からレーザー駆動回路に供給するようにしたことを特徴とする光ディスク記録再生装置のレーザー出力制御回路。
【発明の詳細な説明】
【０００１】
【発明の属する技術分野】
本発明は、光学式ピックアップより照射されるレーザー光によってディスクに信号を記録するとともにレーザー光によってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
斯かる光ディスク記録再生装置では、レーザー光によってディスク上にピットを形成するように構成されているが、レーザー光の出力レベルが最適でなかった場合には、ピットの形状が大きすぎたり小さすぎたりすることになる。そのため、斯かる光ディスク記録再生装置に使用されるディスクには、最内周側に試し書き領域が設けられており、その試し書き領域に信号を記録した後再生し、その再生信号を検出することによって記録のためのレーザー出力を設定するように構成されているが、斯かる技術としては、例えば特開平６−７６２８８号公報に開示されたものがある。
【０００４】
【発明が解決しようとする課題】
ディスクに信号を記録する動作は、レーザー素子より出力されるレーザー光の出力レベルを記録用レベルと再生用レベルとに交互に切り換えることによって行われる。即ち、ディスク上に設けられている信号トラックに記録用出力のレーザー光によってピットを形成することによって行われるが、そのピットの大きさは規定の大きさになるように設定されている。斯かる信号の記録動作は、ディスクを所定の線速度一定の状態にて回転駆動させることによって行われるが、最近では、記録動作時の線速度を所定の速度の数倍にした状態にて行うことが出来るようにした光ディスク記録再生装置が製品化されている。
【０００５】
追記型の光ディスク記録再生装置において、再生状態より記録状態への切換動作を行う場合、レーザー駆動回路に組み込まれているサーボ回路のサーボ動作に対応させた切換速度が要求される。そして、ディスクへの信号の記録速度が早くなるにつれて、再生状態より記録状態への切換動作を短時間に行う必要がある。
【０００６】
斯かる切換動作を短時間にて行うためには、サーボ回路の利得を上げる方法が採用されるが、記録開始時の記録波形にオーバーシュートと呼ばれる現象が発生するという問題がある。
【０００７】
本発明は、斯かる問題を解決した光ディスク記録再生装置のレーザー出力制御回路を提供しようとするものである。
【０００８】
【課題を解決するための手段】
本発明は、ディスクに設けられている試し書き領域へのテスト信号の記録動作により設定される記録用出力のデータが記憶されるとともにそのデータに基いて基準信号を出力する記録出力設定回路を設け、再生状態から記録動作状態への切換動作が行われた場合に前記記録出力設定回路の基準信号に基づいて生成される記録用出力の信号をレーザー駆動回路に供給するように構成されている。
【０００９】
【実施例】
図１は本発明に係る光ディスク記録再生装置の一実施例を示す回路図、図２は本発明の動作を説明するための波形図である。
【００１０】
図１において、１は光学式ピックアップに組み込まれているとともにレーザー光を照射するレーザー素子であるレーザーダイオードであり、レーザー駆動回路２より供給される電流によって駆動されるように接続されている。斯かる回路において、記録動作時には、レーザー駆動回路２よりレーザーダイオード１に対して図２に示すようなパルス信号、即ち記録用出力であるＶＲと再生用出力であるＶＰより構成されたパルス信号が供給されるように構成されている。
【００１１】
３は前記レーザーダイオード１より出力されるレーザー光のレベルをモニターするべく設けられているモニター用ダイオード(図示せず)から得られるモニター信号が入力されるモニター信号入力端子、４は前記レーザーダイオード１より出力されるレーザー光のレベルをモニターして得られるモニター信号から再生用出力のレベルをサンプリングする再生用サンプリング回路であり、図２に示すように再生用出力期間のレベルをサンプリングするとともに記録用出力の期間そのレベルを保持する作用を有している。同図において、Ｓがサンプリング動作期間であり、Ｈがサンプリングレベル保持期間である。５は前記レーザーダイオード１より出力されるレーザー光のレベルをモニターして得られるモニター信号から記録用出力のレベルをサンプリングする記録用サンプリング回路であり、図２に示すように記録用出力期間のレベルをサンプリングするとともに再生用出力の期間そのレベルを保持する作用を有している。同図において、Ｓがサンプリング動作期間であり、Ｈがサンプリングレベル保持期間である。
【００１２】
６はディスクに設けられている試し書き領域へのテスト信号の記録動作時に最適な再生用出力として設定されるデータが記憶されるとともにそのデータに基づく基準信号を出力する再生出力設定回路、７はディスクに設けられている試し書き領域へのテスト信号の記録動作時に最適な記録用出力として設定されるデータが記憶されるとともにそのデータに基づく基準信号を出力する記録出力設定回路である。
【００１３】
８は−側の端子である信号入力端子が抵抗９を介して前記再生用サンプリング回路４の出力端子に接続されている再生用比較回路であり、その出力端子と信号入力端子との間の帰還回路には、抵抗１０及びコンデンサ１１が並列に接続されている。１２は第１再生用スイッチであり、前記再生用比較回路８の信号入力端子に接続されている可動端子１２ａ、該再生用比較回路８の出力端子に接続されているとともに再生動作を行う状態にないとき前記可動端子１２ａと接続される固定端子１２ｂ、そして再生動作及び記録動作を行う状態にあるとき前記可動端子１２ａと接続される固定端子１２ｃを備えている。
【００１４】
１３は前記第１再生用スイッチ１２に連動して切り換えられる第２再生用スイッチであり、前記再生用比較回路８の＋側端子である基準信号入力端子に接続されている可動端子１３ａ、接地されているとともに再生動作を行う状態にないとき前記可動端子１３ａと接続される固定端子１３ｂ、そして再生動作及び記録動作を行う状態にあるとき前記可動端子１３ａと接続されるとともに前記再生出力設定回路６の出力端子に接続されている固定端子１３ｃを備えている。斯かる回路において、前記再生用サンプリング回路４、再生出力設定回路６及び再生用比較回路８等は、再生用出力のレベルを制御する再生用出力レベル制御回路を構成している。
【００１５】
１４は−側の端子である信号入力端子が抵抗１５を介して前記記録用サンプリング回路５の出力端子に接続されている記録用比較回路であり、その出力端子と信号入力端子との間の帰還回路には、抵抗１６及びコンデンサ１７が並列に接続されている。１８は第１記録用スイッチであり、前記記録用比較回路１４の信号入力端子に接続されている可動端子１８ａ、該記録用比較回路１４の出力端子に接続されているとともに記録動作を行う状態にないとき前記可動端子１８ａと接続される固定端子１８ｂ、そして記録動作を行う状態にあるとき前記可動端子１８ａと接続される固定端子１８ｃを備えている。
【００１６】
１９は前記第１記録用スイッチ１８に連動して切り換えられる第２記録用スイッチであり、前記記録用比較回路１４の＋側端子である基準信号入力端子に接続されている可動端子１９ａ、接地されているとともに記録動作を行う状態にないとき前記可動端子１９ａと接続される固定端子１９ｂ、そして記録動作を行う状態にあるとき前記可動端子１９ａと接続されるとともに前記記録出力設定回路７の出力端子に接続されている固定端子１９ｃを備えている。斯かる回路において、前記記録用サンプリング回路５、記録出力設定回
路７及び記録用比較回路１４等は、記録用出力のレベルを制御する記録用出力レベル制御回路を構成している。
【００１７】
２０は前記再生用出力レベル制御回路を構成する再生用比較回路８の出力信号が入力されるとともに該再生用出力制御回路による再生用出力の制御動作、即ちサーボ動作の利得を調整する利得調整回路であり、その出力信号はレーザー駆動回路２に供給されるとともにレーザーダイオード１へ供給されるパルス信号の再生用出力ＶＰを設定するように構成されている。２１は前記記録用出力レベル制御回路を構成する記録用比較回路１４の出力信号が印加されるとともにその信号のレベルを可変する可変抵抗器であり、前記利得調整回路２０によってレベル調整位置が調整されるように構成されている。前記可変抵抗器２１によってレベル調整された前記記録用比較回路１４の出力信号は、前記レーザー駆動回路２に供給されるとともにレーザーダイオード１へ供給されるパルス信号の記録用出力ＶＲを設定するように構成されている。
【００１８】
斯かる構成において、ディスクの内周側に設けられている試し書き領域にテスト信号の記録動作を行うことによって記録動作を行うために最適なレーザー出力を得ることが出来るデータが記録用出力設定回路７に記憶設定されるが、斯かる最適レーザー出力の設定動作は従来の技術を利用することによって行うことが出来るので、その説明は省略した。また、再生用出力データも再生出力設定回路６に記憶設定されるとともに利得調整回路２０の働きによって最適なサーボ動作を行うための利得設定動作及び可変抵抗器２１のレベル設定動作が記録動作を行うために最適な状態になるように行われる。
【００１９】
図１に示した状態は、データ信号の記録動作を行う状態であり、レーザー駆動回路２からは図２に示す波形のパルス信号がレーザーダイオード１に対して出力されることになる。そして、斯かる記録動作が行われている状態では、再生用サンプリング回路４による再生用出力に対するサンプリング動作及びサンプリング保持動作が行われ、その信号が再生出力設定回路６より出力される基準信号と比較され、その比較された出力信号がレーザー駆動回路２に供給されるため、レーザーダイオード１に供給される駆動信号の再生用出力を最適な状態にする制御動作が行われることになる。
【００２０】
また、斯かる記録動作が行われている状態では、記録用サンプリング回路５による記録用出力に対するサンプリング動作及びサンプリング保持動作が行われ、その信号が記録出力設定回路７より出力される基準信号と比較され、その比較された出力信号がレーザー駆動回路２に供給されるため、レーザーダイオード１に供給される駆動信号の記録用出力を最適な状態にする制御動作が行われることになる。
【００２１】
以上に説明したようにディスクへの信号の記録動作は行われるが、次に再生状態から信号を記録する記録状態に切り換える場合の動作について説明する。光ディスク記録再生装置が記録動作を行わない状態にあるときには、第１記録用スイッチ１８及び第２記録用スイッチ１９は、図示した状態の反対側の状態、即ち可動端子１８ａ及び１９ａが各々固定端子１８ｂ及び１９ｂに接続された状態にある。
【００２２】
従って、斯かる状態にあるときには、記録用比較回路１４の帰還回路に接続されているコンデンサ１７の両端が短絡された状態にある。斯かる状態において、光ディスク記録再生装置を記録状態に切り換える動作が行われると、前記第１記録用スイッチ１８及び第２記録用スイッチ１９が、図示した状態、即ち可動端子１８ａ及び１９ａが各々固定端子１８ｃ及び１９ｃに接続された状態に切り換えられる。
【００２３】
前記第２記録用スイッチ１９が、図示した状態に切り換えられると、記録出力設定回路７より出力される基準信号が記録用比較回路１４の基準信号入力端子に印加される。また、前記第１記録用スイッチ１８が図示した状態に切り換えられると、前記記録用比較回路１４の帰還回路内に挿入接続されているコンデンサ１７の短絡状態が解除される。光ディスク記録再生装置を記録状態に切り換える動作が行われると前述した切換動作が行われるが、切換動作が行われた瞬間は、コンデンサ１７の充電電荷が零のため、記録用比較回路１４の出力端子には記録出力設定回路７より出力される基準信号が出力されることになる。
【００２４】
前記記録用比較回路１４の出力端子に基準信号が出力されると、該信号が可変抵抗器２１を通してレーザー駆動回路２に入力されるため、該レーザー駆動回路２よりレーザーダイオード１に対して駆動電流が供給されることになる。そして、前記レーザーダイオード１に供給される駆動電流は、前記記録出力設定回路７より出力される基準信号に対応した電流値になるため、該レーザーダイオード１より照射されるレーザー光の出力は、記録動作を行うために最適なレベルに設定されることになる。即ち、記録動作状態への切換動作が行われると、レーザーダイオード１より照射されるレーザー光の出力が最適なレベルより開始されるため、レーザー光の出力動作を制御するサーボ動作を速やかに開始させることが出来る。従って、再生状態より記録状態への切換動作を短時間にて行うことが可能となり、ディスクへの記録速度の高速化に対応した切換動作を支障無く行うことが出来る。
【００２５】
尚、本実施例では、比較回路を使用して記録動作状態への切換動作を行うようにしたが、回路構成としては種々変更可能である。
【００２６】
【発明の効果】
本発明は、再生状態から記録動作状態への切換動作が行われたとき、レーザー出力の設定動作によって記録出力設定回路に記憶されているデータに基いて設定される基準信号を記録用出力としてレーザー駆動回路に供給した後レーザーダイオードから出力されるレーザー光をモニターして得られるパルス信号の記録用出力期間のレベルをサンプリングする記録用サンプリング回路から得られるサンプリング信号と前記記録出力設定回路より出力される基準信号とに基づいて制御される記録用レベルの信号を記録用出力レベル制御回路からレーザー駆動回路に供給するようにしたので、即ち記録動作状態への切換動作が行われたとき、最適レーザー出力設定時に設定されたレーザー出力をレーザーダイオードに供給するようにしたので、記録動作状態への切換に伴って開始される記録動作を最適な記録用出力にて開始させることが出来る。従って、本発明によれば、記録開始動作を速やかに行うことが出来るので、ディスクへの記録速度が高速化されても記録動作を正確に開始させることが出来る。
【図面の簡単な説明】
【図１】本発明に係る光ディスク記録再生装置の一実施例を示す回路図である。
【図２】本発明の動作を説明するための波形図である。
【符号の説明】
１        レーザーダイオード
２        レーザー駆動回路
４        再生用サンプリング回路
５        記録用サンプリング回路
６        再生出力設定回路
７        記録出力設定回路
８        再生用比較回路
１２        第１再生用スイッチ
１３        第２再生用スイッチ
１４        記録用比較回路
１８        第１記録用スイッチ
１９        第２記録用スイッチ
２０        利得調整回路
【図１】
0003760451.tif 000002
【図２】
0003760451.tif 000003